(57)【要約】  【課題】発光装置自体の構造上の制約やコスト上昇を招くことなく、蛍光体の発光輝度の低下を防止して目標とする輝度を維持する。  【解決手段】点灯スイッチがＯＮされているとき、輝度補正量ＣＯＲＣＤを算出し（Ｓ２）、目標輝度ＣＤＴＧＴに輝度補正量ＣＯＲＣＤを加算して修正目標輝度ＣＤＣＬＣを算出する（Ｓ４）。そして、予め設定した発光装置の輝度と駆動パルスとの関係に基づいて、コントローラから駆動回路に出力するパルス信号の駆動周期Ｔ１（或いはＯＦＦ時間Ｔ２）を算出し（Ｓ５）、この駆動パルス信号を駆動回路に出力する（Ｓ６）。これにより、発光後のチャージアップ等の外乱による蛍光体の輝度低下を、簡単なフィードフォワードで修正することができ、発光装置自体の構造上の制約やコスト上昇を招くことなく、目標とする輝度を維持することができる。【選択図】図６
2007003938.tif 000002
【特許請求の範囲】
【請求項１】
冷陰極電子放出源を有するカソード電極と、該カソード電極に真空空間を介して対向配置され、上記冷陰極電子放出源から電界放出された電子により励起されて発光する蛍光体を有するアノード電極とを少なくとも備えた発光装置の発光輝度を制御する輝度制御システムであって、
上記蛍光体の発光開始後の輝度変化量に基づいて、上記蛍光体の発光輝度を補正するための輝度補正量を算出する輝度補正量算出手段と、
上記蛍光体の発光輝度の目標値を上記輝度補正量によって修正し、修正目標輝度を算出する修正目標輝度算出手段と、
上記発光装置をパルス駆動するためのパルス信号を上記修正目標輝度に対応して変調するパルス変調手段と、
上記修正目標輝度に対応して変調されたパルス信号で上記発光装置を駆動する駆動手段とを備えたことを特徴とする発光装置の輝度制御システム。
【請求項２】
上記輝度補正量算出手段は、
上記輝度補正量を、発光開始からの時間履歴として予め設定しておくことを特徴とする請求項１記載の発光装置の輝度制御システム。
【請求項３】
上記輝度補正量算出手段は、
上記発光開始後の輝度変化量を一次遅れとしてモデル化し、該モデルの出力に基づいて上記輝度補正量を算出することを特徴とする請求項１記載の発光装置の輝度制御システム。
【請求項４】
上記輝度補正量算出手段は、
上記発光開始後の輝度変化量を積分回路からなる等価回路で置き換え、該等価回路の出力に基づいて上記輝度補正量を算出することを特徴とする請求項１記載の発光装置の輝度制御システム。
【請求項５】
上記駆動手段は、
上記カソード電極をパルス駆動し、上記蛍光体を周期的に飽和状態で高輝度発光させることを特徴とする請求項１〜４の何れか一に記載の発光装置の輝度制御システム。
【請求項６】
上記駆動手段は、
上記カソード電極側のインピーダンスを、上記冷陰極電子放出源の電流密度が上記蛍光体を飽和状態で高輝度発光させる値となる低インピーダンス状態と、上記冷陰極電子放出源からの電子放出を停止状態とする高インピーダンス状態とに周期的に変換することを特徴とする請求項５記載の発光装置の輝度制御システム。
【発明の詳細な説明】
【技術分野】
【０００１】
本発明は、冷陰極電子放出源から電界放出された電子によって蛍光体を励起発光させる発光装置の輝度を制御する発光装置の輝度制御システムに関する。
【背景技術】
【０００２】
近年、白熱電球や蛍光灯といった従来の発光装置に対し、真空中で冷陰極電子放出源から電界放出させた電子を高速で蛍光体に衝突させることにより、蛍光体を励起発光させる冷陰極電界放出型の発光装置が開発されている。この種の発光装置は、カソード電極に対して正の電位を与えたゲート電極によって電子を引き出し、更に正の高電圧を与えたアノード電極上の蛍光体に電子を衝突させて蛍光発光させるものであり、電界放出型照明ランプ（Field Emission Lamp:FEL）や電界放出型表示装置（Field Emission Display:FED）としての用途が見込まれている。
【０００３】
例えば、特許文献１には、ＦＥＬに関連する技術として、カソード電極表面と略平行な略平板に孔を設け、この孔端をカソード電極側に突き出した構造のグリッド電極（ゲート電極）とする技術が開示されている。特許文献１の技術によれば、略平板領域における電界よりも孔端における電界を高くすることができ、カソード電極からグリッド電極に飛び込む無効電子を抑制することができる。
【０００４】
また、特許文献２には、同様にＦＥＬに関連して、部分的に開口を備えた半円筒状のグリッド電極が直方体形状カソード電極に対して間隙を持って囲む技術が開示されている。特許文献２の技術では、電子が蛍光板電極に突入したことによって叩き出された正イオンがカソード電極に突入することを抑制し、放電破壊を防止することができる。
【０００５】
更に、特許文献３には、ＦＥＤに関連して、陰極基板にカーボンナノチューブ製の平面状の冷陰極を形成し、透明な陽極基板に、ストライプ状の透明な陽極ストリップと、これに交差するストライプ状の選択グリッドストリップと、格子状の電子引き出しグリッドとを形成している。
【０００６】
特許文献３の技術によれば、冷陰極から放出された電子は、冷陰極と電子引き出しグリッドとの間の電子滞留領域に滞留して電子雲を形成する。そして、何れかの選択グリッドストリップと何れかの陽極ストリップとに電圧が印加されると、電子雲からの電子流が電子引き出しグリッドの開口と選択グリッドストリップの開口とを通過して陽極ストリップ上の蛍光体に衝突する。これにより、冷陰極電界放出に起因する電子の偏在を平均化し、蛍光体の発光ムラをなくすことができる。
【特許文献１】特開２００４−２０７０６６号公報
【特許文献２】特開２００４−２２０８９６号公報
【特許文献３】特開２００４−３３５３８５号公報
【発明の開示】
【発明が解決しようとする課題】
【０００７】
上述の特許文献１〜３は、電界放出型の発光装置に特有の問題に対処するものであるが、電子線によって励起されて発光する蛍光体を用いる発光装置では、発光開始からの時間経過と共に蛍光体の表面に電荷が蓄積（チャージアップ）して帯電し、この帯電した電場の影響により、発光輝度が低下したり、像が不鮮明になるといった問題がある。
【０００８】
従来、この蛍光面でのチャージアップに対処するには、導電性材料を蒸着する等して帯電した電荷を除去する等の方法が取られているが、製品構造上の制約が多いばかりでなく、製造コストの上昇を招く虞がある。
【０００９】
本発明は上記事情に鑑みてなされたもので、発光装置自体の構造上の制約やコスト上昇を招くことなく、蛍光体の発光輝度の低下を防止して目標とする輝度を維持することのできる発光装置の輝度制御システムを提供することを目的としている。
【課題を解決するための手段】
【００１０】
上記目的を達成するため、本発明による発光装置の輝度制御システムは、冷陰極電子放出源を有するカソード電極と、該カソード電極に真空空間を介して対向配置され、上記冷陰極電子放出源から電界放出された電子により励起されて発光する蛍光体を有するアノード電極とを少なくとも備えた発光装置の発光輝度を制御する輝度制御システムであって、上記蛍光体の発光開始後の輝度変化量に基づいて、上記蛍光体の発光輝度を補正するための輝度補正量を算出する輝度補正量算出手段と、上記蛍光体の発光輝度の目標値を上記輝度補正量によって修正し、修正目標輝度を算出する修正目標輝度算出手段と、上記発光装置をパルス駆動するためのパルス信号を上記修正目標輝度に対応して変調するパルス変調手段と、上記修正目標輝度に対応して変調されたパルス信号で上記発光装置を駆動する駆動手段とを備えたことを特徴とする。
【００１１】
輝度補正量は、発光開始からの時間履歴として予め設定しておくことができ、また、発光開始後の輝度変化量を一次遅れとしてモデル化し、該モデルの出力に基づいて算出することもできる。更には、発光開始後の輝度変化量を積分回路からなる等価回路で置き換え、該等価回路の出力に基づいて輝度補正量を算出しても良い。
【００１２】
発光装置は、カソード電極をパルス駆動し、蛍光体を周期的に飽和状態で高輝度発光させることが望ましく、冷陰極電子放出源の電界放出特性のバラツキによる輝度ムラを防止することができる。カソード電極をパルス駆動する際には、カソード電極側のインピーダンスを、冷陰極電子放出源の電流密度が蛍光体を飽和状態で高輝度発光させる値となる低インピーダンス状態と、冷陰極電子放出源からの電子放出を停止状態とする高インピーダンス状態とに周期的に変換することが望ましい。
【発明の効果】
【００１３】
本発明による発光装置の輝度制御システムは、発光装置自体の構造上の制約やコスト上昇を招くことなく、蛍光体の発光輝度の低下を防止して目標とする輝度を維持することができる。
【発明を実施するための最良の形態】
【００１４】
以下、図面を参照して本発明の実施の形態を説明する。図１〜図６は本発明の実施の一形態に係り、図１は輝度制御システムの構成図、図２は輝度制御の機能ブロック図、図３は発光後経過時間と輝度低下量及び輝度補正量との関係を示す説明図、図４は等価回路の説明図、図５は輝度と駆動パルスとの関係を示す説明図、図６は輝度制御ルーチンのフローチャートである。
【００１５】
図１において、符号１は、例えば平面状の電界放出型照明ランプ等に用いられる電界放出型発光装置（以下、単に「発光装置」と記載する）である。この発光装置１は、所定間隔で対向配置されたガラス基板２，３の内部を真空状態に維持し、この真空状態下で、電子放出源を有するカソード電極５、グリッド状のゲート電極１０、電子線によって励起発光する蛍光体１６を有するアノード電極１５を基底面側から投光面側に向かって順に配置した基本構成を有している。
【００１６】
尚、図１においては、カソード電極５とゲート電極１０とアノード電極１５との３極構造を例示しているが、ゲート電極１０を用いない２極構造であっても良い。
【００１７】
カソード電極５は、ベースとなるガラス基板２上に形成された導電材からなり、例えば、アルミニウムやニッケル等の金属を蒸着やスパッタ法等によって堆積したり、銀ペースト材を塗布して乾燥・焼成する等して形成されている。このカソード電極５の表面には、カーボンナノチューブ、カーボンナノウォール、スピント型マイクロコーン、金属酸化物ウィスカー等のエミッタ材料が膜状に塗布され、冷陰極電子放出源６が形成される。
【００１８】
ゲート電極１０は、カソード電極５に対向して配置されるグリッド状の電極であり、カソード電極５との電位差（ゲート電圧）に応じてカソード電極５上に形成された冷陰極電子放出源６に電界を印加し、電子を放出させる。このゲート電極１０には、冷陰極電子放出源６から放出された電子を通過させる微細な開口が多数形成されており、ステンレス材、ニッケル材、アンバー材等の導電性の薄板に、エッチング或はパンチング法等を用いて円形や矩形等の多数の開口が形成される。
【００１９】
アノード電極１５は、投光面となるガラス基板３の裏面側に配置された透明導電膜（例えば、ＩＴＯ膜）からなり、ゲート電極１０（カソード電極５）に対向する面に、冷陰極電子放出源６から放出された電子によって励起発光される蛍光体１６が塗布されている。蛍光体１６は、例えば、インクジェット法、フォトグラフィ法、沈殿法、電着法等によってアノード電極１５上に成膜される。
【００２０】
一方、符号５０は、発光装置１の発光輝度を制御するコントローラであり、アノード電極１５やゲート電極１０に印加する高電圧を発生する高電圧電源装置２０及び発光装置１を駆動する駆動回路３０を介して発光装置１の発光輝度を制御する。コントローラ５０は、マイクロコンピュータを中心として構成され、操作パネル等に備えられた点灯スイッチ６０のＯＮを検出すると、高電圧電源装置２０からアノード電極１５に正の高電圧を印加すると共にゲート電極１０に一定の電圧を印加し、駆動回路３０を介して発光装置１の発光輝度を所望の目標輝度に一致するように制御する。
【００２１】
周知のように、電界放出型の発光装置は、カソード電極に対してアノード電極を所定の正の高電位に維持し、ゲート電極からカソード電極へ所定のゲート電圧を印加すると、電子放出源から真空中に電子が電界放出されてアノード電極に向って加速され、蛍光体に衝突して光を放つが、時間経過と共に電子線で励起される蛍光体の表面に電荷が蓄積し（チャージアップ）、輝度が低下するという問題がある。
【００２２】
従って、コントローラ５０は、蛍光体上でのチャージアップ等の外乱に応じた補正を目標輝度に加えることにより、輝度の変化をフィードフォワードで修正し、発光装置１の輝度を目標輝度に保つ。このコントローラ５０による輝度制御は、図２の機能ブロック図に示され、輝度補正量算出部５１、修正目標輝度算出部５２、パルス変調部５３、駆動パルス算出部５４によって代表することができ、駆動パルス算出部５４からの駆動パルスによって駆動回路３０が制御される。駆動回路３０について、後述する。
【００２３】
輝度補正量算出部５１は、点灯スイッチ６０がＯＮされて発光装置１の発光が開始された後の時間履歴として発光後経過時間ＴＣＮＴをカウントアップし、発光後経過時間ＴＣＮＴに対して目標輝度を修正するための輝度補正量ＣＯＲＣＤを算出する。具体的には、図３（ａ）に示すように、発光装置１における発光後の経過時間に対する輝度低下量を予め実験或いはシミュレーションによって把握しておき、図３（ｂ）に示すように、輝度低下量を補償する輝度補正量ＣＯＲＣＤを、発光後経過時間ＴＣＮＴをパラメータとするマップを作成しておく。そして、このマップを参照することにより、発光後経過時間ＴＣＮＴに対する輝度補正量ＣＯＲＣＤを求める。
【００２４】
この場合、輝度低下に対する補正を一次遅れとしてモデル化しておき、以下の（１）式に示すように、１制御周期前の輝度補正量ＣＯＲＣＤ(k-1)、輝度補正定数ＫＣＣ、モデル定数ＫＡ（０＜ＫＡ＜１）により、現制御周期での新たな輝度補正量ＣＯＲＣＤ(k)を算出するようにしても良い。  
ＣＯＲＣＤ(k)＝ＫＡ×ＫＣＣ＋（１−ＫＡ）×ＣＯＲＣＤ(k-1)  …（１）
【００２５】
更に、輝度補正量の算出モデルを、図４に示すように、抵抗ＲとコンデンサＣとによる積分回路の等価回路５１Ａに置き換え、この等価回路５１Ａの出力に応じて輝度補正量ＣＯＲＣＤを算出するようにしても良い。等価回路５１Ａは、点灯スイッチ６０のＯＮ，ＯＦＦ（発光の有無）に応じて入力電源ＵがＯＮ，ＯＦＦされ、出力電圧Ｖが読み取られる。そして、輝度補正量ＣＯＲＣＤを、等価回路５１Ａの出力電圧Ｖとに比例関係にある量として予め設定しておき、読み取った出力電圧Ｖに基づいて輝度補正量ＣＯＲＣＤを求める。
【００２６】
この等価回路５１Ａを用いることにより、発光終了後において、チャージアップされた電圧が完全に開放される前に、再度、発光を開始した場合においても、非発光状態での経過時間のカウントを要することなく、的確な輝度補正量ＣＯＲＣＤを算出することが可能となる。
【００２７】
修正目標輝度算出部５２は、以下の（２）式に示すように、目標輝度ＣＤＴＧＴに輝度補正量ＣＯＲＣＤを加算し、修正目標輝度ＣＤＣＬＣを算出する。この修正目標輝度ＣＤＣＬＣは、パルス変調部５３及び駆動パルス算出部５４を介して駆動回路３０に出力されるパルス信号に変換される。  
ＣＤＣＬＣ＝ＣＤＴＧＴ＋ＣＯＲＣＤ  …（２）
【００２８】
コントローラ５０による発光装置１の輝度制御は、パルス変調方式によって行われ、ゲート電極１０からカソード電極５へパルス状にゲート電圧を印加する際のパルス信号の周期Ｔ１を可変する、或いは一定の周期でゲート電圧を印加する時間を規定するパルス幅Ｔ２を可変することにより、発光輝度を制御する。発光装置１の輝度と駆動パルスとの関係は、予め設定されてコントローラ５０内に記憶されており、パルス変調部５３で輝度と駆動パルスとの関係から駆動パルスの周期Ｔ１或いはパルス幅Ｔ２を算出し、駆動パルス算出部５４で駆動回路３０に出力するパルス信号を生成する。
【００２９】
駆動パルスの周期Ｔ１を可変して発光輝度を制御する場合には、図５（ａ）に示すように、駆動周期が長くなるにつれて発光輝度が減少関数的に低くなり、一定の周期でパルス幅Ｔ２を可変して発光輝度を制御する場合には、図５（ｂ）に示すように、パルス幅Ｔ２が長くなるにつれて発光輝度が略直線的に高くなる。これらの関係は、予め実験或いはシミュレーション等によって求められてマップ化され、このマップの輝度軸に、修正目標輝度算出部５２で算出した修正目標輝度ＣＤＣＬＣを適用して駆動パルスの周期Ｔ１或いはパルス幅Ｔ２を求める。
【００３０】
パルス変調方式による発光装置１の輝度制御では、高電圧電源装置２０からゲート電極１０へ出力するパルス電圧を、周期Ｔ１（或いはパルス幅Ｔ２）で可変することにより発光輝度を制御しても良いが、本形態においては、高電圧電源装置２０からゲート電極１０に出力する電圧を一定として、駆動回路３０でカソード電極５側のインピーダンスを低インピーダンス状態と高インピーダンス状態とに切り換えるようにしている。これにより、高電圧電源装置２０の簡素化を図りつつ、実質的にゲート電極１０からカソード電極５に印加される電圧をパルス状に変化させることができ、発光装置１の発光輝度を制御することができる。
【００３１】
更に、本形態においては、蛍光体１６に生じる輝度ムラを低減するため、高電圧電源装置２０からゲート電極１０に印加する電圧を通常のゲート電圧よりも高い一定の電圧としている。すなわち、冷陰極電子放出源６の電界放出特性は必ずしも一定ではないことから、通常のゲート電圧で発生する電界強度では、冷陰極電子放出源６の領域によって電子放出の電流密度が異なり、蛍光面全体として見ると発光輝度のムラが生じることがある。
【００３２】
従って、本形態においては、高電圧電源装置２０からゲート電極１０に通常のゲート電圧よりも高い電圧を出力し、蛍光体１６を高輝度で発光させる電流密度となるような電界強度をカソード電極５に与えることにより、冷陰極電子放出源６の電界放出特性のバラツキによる領域毎の発光輝度の差を、実用上問題のないレベルとする。
【００３３】
一般に、電界放出の電流密度は、印加する電界強度が比較的小さい場合には、電界強度の増加に応じて電流密度も緩やかに増加するが、或る電界強度を越えると、電流密度が急激に増加する。一方、蛍光体は、電流密度の増加に応じて発光輝度が高くなるが、所定の電流密度以上では発光が飽和状態となり、それ以上電流密度を増加させても、発光輝度は高くならない。
【００３４】
従って、カソード電極５に与える電界強度を通常よりも大幅に大きくして蛍光体１６を飽和状態或は飽和状態に近い高輝度で発光させることにより、冷陰極電子放出源６の電界放出特性のバラツキによる領域毎の発光輝度の差を小さくすることができ、発光ムラを低減することができる。
【００３５】
カソードインピーダンスを変換する駆動回路３０は、図１に示すように、主として、コントローラ５０からのパルス信号によって駆動されるスイッチング素子としてのトランジスタＴＲ１，ＴＲ２と、これらのトランジスタＴＲ１，ＴＲ２でカソード電極５に接続された直列抵抗Ｒ１，Ｒ２とにより構成され、カソード電極５に接続された直列抵抗Ｒ１，Ｒ２を切換えることにより、カソードインピーダンスを低インピーダンス状態と高インピーダンス状態とに周期的に変換する。
【００３６】
コントローラ５０からのパルス信号は、前述のパルス変調部５３で輝度との関係において算出される周期Ｔ１（パルス幅Ｔ２）の駆動パルスを反転した信号として出力され、ＯＮ（ハイレベル），ＯＦＦ（ローレベル）の周期がＴ１で、ＯＦＦ時間がＴ２の信号である。このパルス信号は、修正目標輝度ＣＤＣＬＣに対応するパルス信号として１段目のトランジスタＴＲ１のベースにバイアス抵抗ＲＢを介して入力される。
【００３７】
１段目のトランジスタＴＲ１は、エミッタが接地され、コレクタがコレクタ抵抗ＲＣを介して電源Ｖｃｃに接続されると共に、２段目のトランジスタＴＲ２のベースに接続されている。２段目のトランジスタＴＲ２は、同様にエミッタが接地され、コレクタがカソード電極５に直列接続される抵抗Ｒ１と抵抗Ｒ２との中間に接続されている。カソード電極５は抵抗Ｒ１から抵抗Ｒ２を経て接地されている。
【００３８】
一方の抵抗Ｒ１は、低インピーダンス用の抵抗であり、蛍光体１６の飽和状態での発光を可能とする電流密度を発生させる電圧をカソード電極５に印加するため、例えば数十ｋΩ程度の抵抗値に設定されている。他方の抵抗Ｒ２は、高インピーダンス用の抵抗であり、カソード電流を略零とするため、例えば数ＭΩ程度の抵抗値に設定されている。
【００３９】
従って、コントローラ５０からのパルス信号がＯＦＦの時間Ｔ２では、１段目のトランジスタＴＲ１がＯＦＦのとき、２段目のトランジスタＴＲ２がＯＮとなり、抵抗Ｒ２が短絡されてカソードインピーダンスが抵抗Ｒ１による低インピーダンス状態となる。その結果、高電圧電源装置２０からの一定の高電圧がゲート電極１０を介してカソード電極５に印加され、蛍光体１６全体が高輝度で均一に発光する。
【００４０】
一方、コントローラ５０からのパルス信号がＯＮの時間（Ｔ１−Ｔ２）では、１段目のトランジスタＴＲ１がＯＮされて２段目のトランジスタＴＲ２がＯＦＦされ、カソードインピーダンスが抵抗Ｒ１，Ｒ２の合成抵抗による高インピーダンス状態となる。その結果、ゲート電極１０とカソード電極５とが同電位となって冷陰極電子放出源６からの電子の放出が停止し、蛍光体１６が非発光状態となる。
【００４１】
以上の過程が繰り返されて蛍光体１６が間欠的に発光することになるが、パルス信号の周波数を５０Ｈｚ以上の周波数とすることにより、人間の視覚にはトランジスタＴＲ２がＯＮの期間での高輝度発光が残像として残り、連続発光として認識される。
【００４２】
尚、ゲート電極１０に印加するゲート電圧が数百Ｖ以下の場合には、抵抗Ｒ２は無限大(即ち抵抗Ｒ２を使用しない状態)であっても良い。但し、ゲート電圧が５００Ｖ或は１ｋＶ以上の高圧を必要とする場合には、トランジスタＴＲ１のＯＮ期間にゲート電圧と同じ高電圧がトランジスタＴＲ２のコレクタに印加されることになり、高耐圧トランジスタを必要とするか、或は既存のトランジスタでは設計できなくなるので、抵抗Ｒ２を使用してトランジスタＴＲ２のコレクタに印加される電圧を下げることが好ましい。
【００４３】
実際の装置設計では、目標とする発光輝度と発光の均一性を得るように、アノード電極１５に塗布する蛍光体１６の種類や厚み、アノード電極１５及びゲート電極１０に印加する電圧、抵抗Ｒ１，Ｒ２の抵抗値等を最適に調節する。
【００４４】
以上のコントローラ５０の輝度制御は、具体的には、図６のフローチャートに示す輝度制御ルーチンによって実行される。次に、図６の輝度制御ルーチンについて説明する。
【００４５】
この輝度制御ルーチンがスタートすると、先ず、ステップＳ１において、点灯スイッチ６０の状態を読み込み、点灯スイッチ６０がＯＮされているとき、ステップＳ２へ進んで輝度補正量ＣＯＲＣＤを算出する。この輝度補正量ＣＯＲＣＤは、上述したように、予め作成した発光後経過時間ＴＣＮＴとの関係に基づくマップ、（１）式に示す一次遅れモデル、或いは、図４に示す等価回路５１Ａを用いて算出される。
【００４６】
次に、ステップＳ３へ進み、目標輝度ＣＤＴＧＴを読み込む。この目標輝度ＣＤＴＧＴは、例えば、コントローラ５０に設けられた操作パネルのダイアル或いはスイッチを操作して所望の明るさを設定すると、この設定値が目標輝度ＣＤＴＧＴとして入力される。
【００４７】
ステップＳ３に続くステップＳ４では、目標輝度ＣＤＴＧＴに、ステップＳ３で算出した輝度補正量ＣＯＲＣＤを加算し、修正目標輝度ＣＤＣＬＣを算出する（（２）式参照）。そして、ステップＳ５へ進み、予め設定した発光装置１の輝度と駆動パルスとの関係に基づいて、コントローラ５０から駆動回路３０に出力するパルス信号の駆動周期Ｔ１（或いはＯＦＦ時間Ｔ２）を算出し、ステップＳ６で、この駆動パルス信号を駆動回路３０に出力する。
【００４８】
これにより、発光後のチャージアップ等の外乱による蛍光体の輝度低下を、簡単なフィードフォワードで修正することができ、発光装置自体の構造上の制約やコスト上昇を招くことなく、目標とする輝度を維持することができる。しかも、発光装置を駆動する際に、蛍光体を周期的に飽和状態で高輝度発光させるので、冷陰極電子放出源の電界放出特性のバラツキによる輝度ムラを防止して均一に発光させることができ、蛍光面のチャージアップ等の外乱による輝度低下をより正確に補償することができる。
【図面の簡単な説明】
【００４９】
【図１】輝度制御システムの構成図
【図２】輝度制御の機能ブロック図
【図３】発光後経過時間と輝度低下量及び輝度補正量との関係を示す説明図
【図４】等価回路の説明図
【図５】輝度と駆動パルスとの関係を示す説明図
【図６】輝度制御ルーチンのフローチャート
【符号の説明】
【００５０】
１  発光装置
５  カソード電極
６  冷陰極電子放出源
１０  ゲート電極
１５  アノード電極
１６  蛍光体
３０  駆動回路
５０  コントローラ
５１  輝度補正量算出部
５１Ａ  等価回路
５２  修正目標輝度算出部
５３  パルス変調部
５４  駆動パルス算出部
ＣＤＣＬＣ  修正目標輝度
ＣＤＴＧＴ  目標輝度
ＣＯＲＣＤ  輝度補正量
ＴＣＮＴ  発光後経過時間
【図１】
2007003938.tif 000003
【図２】
2007003938.tif 000004
【図３】
2007003938.tif 000005
【図４】
2007003938.tif 000006
【図５】
2007003938.tif 000007
【図６】
2007003938.tif 000008